(57)【要約】【課題】不意の操作によりレバースイッチがオンすることを防ぎ、且つ汎用性を備え、更に防塵性に優れた回転打撃式電動工具を提供する。【解決手段】操作レバー５には、プランジャ２１と対向する位置に形成された貫通孔５１、操作レバー５の長手方向に貫通孔５１を開閉するようにスライドする遮蔽板５２が設けられている。貫通孔５１が開かれた状態で操作レバー５を揺動させると、操作レバー５はプランジャ２１を押圧せずにすり抜け、ロック部材４のみを押圧する。これに伴い、ロック部材４に設けられた突起４４と、切替スイッチ２２に設けられた、突起４４と係合可能な被係合部２２ａ，２２ｂとが係合し、切替スイッチ２２のスライドが禁止される。貫通孔５１が閉ざされた状態で操作レバー５を揺動させると、操作レバー５は、プランジャ２１を押圧し、スイッチ２の電力をオンするとともに、ロック部材４を押圧する。【選択図】図２
2010064233.tif 000002
【特許請求の範囲】
【請求項１】
ハウジングと、
前記ハウジングに設けられたモータと、
前記ハウジングに設けられ、前記モータの軸に連結され、先端工具を支持して駆動する駆動機構と、
前記ハウジングに設けられたプランジャと、
該プランジャの動作により前記モータへの電力の供給をオン・オフするスイッチと、
前記プランジャの断面より大きい径の孔とこの孔を開閉する遮蔽板を備え、前記プランジャの動作方向に動作可能に構成され、前記遮蔽板により前記孔が開かれた状態で、前記孔内を前記プランジャが通過するように動作し、前記遮蔽板により前記孔が閉ざされた状態で、前記プランジャと干渉するように動作する操作レバーと、を有し、
前記スイッチが、
前記プランジャに干渉しない位置に設けられ、前記操作レバーの動作に伴って前記操作レバーに接触して前記プランジャの動作方向に移動するロック部材と、
前記プランジャの動作方向に垂直な方向にスライドし、前記先端工具の回転方向を反転する切替スイッチと、
を有する電動工具であって、
前記ロック部材は前記操作レバーが操作され前記スイッチがオンされる状態になると、
前記ロック部材に設けられた係合部と、前記切替スイッチに設けられた前記係合部と係合可能な被係合部とが係合し、前記切替スイッチのスライドを禁止する、
ことを特徴とする電動工具。
【請求項２】
前記係合部は、前記プランジャの動作方向に平行な突起であり、
前記被係合部は、前記ロック部材の移動方向に平行な溝である、
ことを特徴とする請求項１に記載の電動工具。
【請求項３】
前記切替スイッチは、２つの停止点を有し、その間をスライド移動し、
前記溝は、前記切替スイッチのスライド距離だけ離間して２つ形成されており、
前記切替スイッチが一方の停止点にあるときに、前記２つの溝の１つと前記突起とが対向し、前記操作レバーの操作により前記突起が前記溝の１つに嵌合し、前記切替スイッチが他方の停止点にあるときに、前記２つの溝の他の１つと前記突起とが対向し、前記操作レバーの操作により前記突起が前記溝の他の１つに嵌合し、前記切替スイッチが２つの停止点のいずれに位置する場合でもスライド移動が禁止される、
ことを特徴とする請求項２に記載の電動工具。
【請求項４】
前記ロック部材を前記切替スイッチから遠ざかる方向に付勢する付勢部材をさらに備える、
ことを特徴とする請求項２又は３に記載の電動工具。
【請求項５】
前記付勢部材がバネから構成されることを特徴とする請求項４に記載の電動工具。
【請求項６】
前記ロック部材の側面と前記ハウジングの一方には、前記ロック部材の移動方向に伸びるガイドレールが設けられ、前記ロック部材の側面と前記ハウジングの他方には、前記ガイドレールに遊嵌する突起が設けられている、
ことを特徴とする請求項２乃至５のいずれか１項に記載の電動工具。
【請求項７】
前記遮蔽板が前記操作レバーの長手方向にスライド可能に設けられ、前記操作レバーの幅は前記遮蔽板の幅より大きい、
ことを特徴とする請求項１乃至６のいずれか１項に記載の電動工具。
【請求項８】
前記ハウジングは、前記プランジャが挿通される開口を備え、
前記操作レバーは、一端部が前記ハウジングの外面部に揺動可能に連結された、片持構造を有する、
ことを特徴とする請求項１乃至７のいずれか１項に記載の電動工具。
【請求項９】
ハウジングと、
前記ハウジングの内部に収容されるモータと、
前記モータの回転力により回転可能な先端工具と、
前記先端工具の回転を正転・逆転に切替可能な切替スイッチと、
前記モータと動力源を接続可能なスイッチと、
前記スイッチを操作可能なプランジャと、
前記切替スイッチと係合可能なロック部材と、
を有する動力工具であって、
前記ロック部材は、前記プランジャと独立に操作可能である、
ことを特徴とする動力工具。
【請求項１０】
前記プランジャ及び前記ロック部材を操作可能な操作レバーを有し、
前記操作レバーは、前記プランジャ及び前記ロック部材を操作する第１の操作と、前記プランジャを操作せず前記ロック部材を操作する第２の操作と、を行う、
ことができることを特徴とする請求項９に記載の動力工具。
【請求項１１】
前記操作レバーは、前記プランジャと係合可能な係合部材を有しており、
前記係合部材は、前記プランジャと係合する第１の位置と、前記プランジャと係合しない第２の位置と、に移動可能であり、
前記係合部材が、前記第１の位置に位置するときに前記第１の操作が可能であり、前記第２の位置に位置するときに前記第２の操作が可能である、
ことを特徴とする請求項１０に記載の動力工具。
【発明の詳細な説明】
【技術分野】
【０００１】
本発明は、操作レバーの進退によってモータを制御する電動工具及び動力工具に関する。
【背景技術】
【０００２】
電動工具の１つである回転打撃式工具は、使用者への反動が小さく、また回転打撃力による締め付け能力が高いため、広く使用されている。
【０００３】
通常の回転打撃式工具は、モータの回転軸と先端工具の軸とが一直線状に配置されている。
【０００４】
この構成の回転打撃式工具は、加工対象と他部品との間隔が狭い場合等に使用しづらいことがある。このような場合のため、アングル式回転打撃工具が開発され、使用されている（特許文献１）。アングル式回転打撃工具は、モータによる駆動力をモータの軸に対して垂直な方向に伝達するように構成された回転打撃式工具である。アングル式回転打撃工具には、広い範囲を握ることができ、オン・オフを操作性よく行うことができるように、一般に、長尺のレバースイッチが使用されている。
【０００５】
レバースイッチは、オン・オフを操作性よく行うことができる反面、操作レバーを押すだけで工具が駆動されるため、運搬中に操作レバーへの接触等によってモータが駆動されて加工対象が傷ついたり、電力が無駄に消費されたりする虞がある。
【０００６】
この問題を解決するため、例えば、特許文献２に開示されているように、レバーのオン操作を防止する装置を配置することも行われている。
【０００７】
また、特許文献３には、特殊な構成の防塵性に優れたトルグスイッチを使用する例が開示されている。
【０００８】
【特許文献１】特開平６−２８５７７１号公報
【特許文献２】特開平９−２９０３７７号公報
【特許文献３】特開２００１−３２２０７４号公報
【発明の開示】
【発明が解決しようとする課題】
【０００９】
この種の工具には、モータを正逆反転させるためのスイッチが必要であるが、特許文献１の構成では、レバースイッチと切替スイッチが分離しているため、スイッチＯＮ時に正逆切り替えボタンをロックすることが困難である。このため、スイッチ自体にスイッチＯＮ時に正逆切り替えボタンをロックする機能を付与する方法も考えられるが、スイッチが特殊なものになるため汎用性がなくなってしまう。
【００１０】
また、特許文献２に開示された電動工具の装置の構成は、構造が複雑であるとともに大型化してしまうとういう問題がある。
【００１１】
また、長尺のレバーを使用すると、レバー入出用の比較的大きな孔をハウジングに形成する必要があり、この孔から塵や砂が入りやすく、レバーの動作不良を引き起こし易い。
【００１２】
特許文献３には、特殊な構成の防塵性に優れたトルグスイッチを使用する例が開示されているが、長尺のレバー構造に適用することは困難であり、長尺レバーとの組み合わせで、防塵性や誤動作を防ぐ構造が望まれている。
【００１３】
同様の問題は、アングル式回転打撃工具に限らず、レバースイッチを使用する種々の電送工具に共通に存在する。
【００１４】
本発明は上記実情に鑑みてなされたものであって、作業者の不意の操作によりレバースイッチがオンすることを防ぐことができ、且つ汎用性を備えた電動工具及び動力工具を提供することを目的とする。
また、本発明は、レバースイッチを備え、防塵性に優れた電動工具及び動力工具を提供することを他の目的とする。
【課題を解決するための手段】
【００１５】
本発明の第１の観点に係る電動工具は、
ハウジングと、
前記ハウジングに設けられたモータと、
前記ハウジングに設けられ、前記モータの軸に連結され、先端工具を支持して駆動する駆動機構と、
前記ハウジングに設けられたプランジャと、
該プランジャの動作により前記モータへの電力の供給をオン・オフするスイッチと、
前記プランジャの断面より大きい径の孔とこの孔を開閉する遮蔽板を備え、前記プランジャの動作方向に動作可能に構成され、前記遮蔽板により前記孔が開かれた状態で、前記孔内を前記プランジャが通過するように動作し、前記遮蔽板により前記孔が閉ざされた状態で、前記プランジャと干渉するように動作する操作レバーと、を有し、
前記スイッチが、
前記プランジャに干渉しない位置に設けられ、前記操作レバーの動作に伴って前記操作レバーに接触して前記プランジャの動作方向に移動するロック部材と、
前記プランジャの動作方向に垂直な方向にスライドし、前記先端工具の回転方向を反転する切替スイッチと、
を有する電動工具であって、
前記ロック部材は前記操作レバーが操作され前記スイッチがオンされる状態になると、
前記ロック部材に設けられた係合部と、前記切替スイッチに設けられた前記係合部と係合可能な被係合部とが係合し、前記切替スイッチのスライドを禁止することを特徴とする。
【００１６】
例えば、前記係合部は、前記プランジャの動作方向に平行な突起であり、
前記被係合部は、前記ロック部材の移動方向に平行な溝である。
【００１７】
更に、前記切替スイッチは、２つの停止点を有し、その間をスライド移動し、
前記溝は、前記切替スイッチのスライド距離だけ離間して２つ形成されており、
前記切替スイッチが一方の停止点にあるときに、前記２つの溝の１つと前記突起とが対向し、前記操作レバーの操作により前記突起が前記溝の１つに嵌合し、前記切替スイッチが他方の停止点にあるときに、前記２つの溝の他の１つと前記突起とが対向し、前記操作レバーの操作により前記突起が前記溝の他の１つに嵌合し、前記切替スイッチが２つの停止点のいずれに位置する場合でもスライド移動が禁止されるように構成することができる。
【００１８】
更に、前記ロック部材を前記切替スイッチから遠ざかる方向に付勢する付勢部材を備えることが好ましい。
【００１９】
例えば、前記付勢部材がバネから構成されている。
【００２０】
また、前記ロック部材の側面と前記ハウジングの一方には、前記ロック部材の移動方向に伸びるガイドレールが設けられ、前記ロック部材の側面と前記ハウジングの他方には、前記ガイドレールに遊嵌する突起が設けられていることが好ましい。
【００２１】
更に、前記遮蔽板が前記操作レバーの長手方向にスライド可能に設けられ、前記操作レバーの幅は前記遮蔽板の幅より大きいことが好ましい。
【００２２】
また、前記ハウジングは、前記プランジャが挿通される開口を備え、
前記操作レバーは、一端部が前記ハウジングの外面部に揺動可能に連結された、片持構造を有するようにしてもよい。
【００２３】
本発明の第２の観点に係る動力工具は、
ハウジングと、
前記ハウジングの内部に収容されるモータと、
前記モータの回転力により回転可能な先端工具と、
前記先端工具の回転を正転・逆転に切替可能な切替スイッチと、
前記モータと動力源を接続可能なスイッチと、
前記スイッチを操作可能なプランジャと、
前記切替スイッチと係合可能なロック部材と、
を有する動力工具であって、
前記ロック部材は、前記プランジャと独立に操作可能であることを特徴とする。
【００２４】
更に、前記プランジャ及び前記ロック部材を操作可能な操作レバーを有し、
前記操作レバーは、前記プランジャ及び前記ロック部材を操作する第１の操作と、前記プランジャを操作せず前記ロック部材を操作する第２の操作と、を行うことができることが好ましい。
【００２５】
更に、前記操作レバーは、前記プランジャと係合可能な係合部材を有しており、
前記係合部材は、前記プランジャと係合する第１の位置と、前記プランジャと係合しない第２の位置と、に移動可能であり、
前記係合部材が、前記第１の位置に位置するときに前記第１の操作が可能であり、前記第２の位置に位置するときに前記第２の操作が可能であることが好ましい。
【発明を実施するための最良の形態】
【００２６】
以下、本発明の実施の形態に係る電動工具を、レバースイッチを備えるアングル式回転打撃工具を例に、図１乃至図９を参照しつつ説明する。
【００２７】
図１は、本実施形態の電動工具の斜視図、図２は本実施形態の電動工具の断面図、図３は本実施形態の電動工具の下面図、図４は本実施形態の電動工具の分解図、図５は本実施形態の電動工具のスイッチ本体及びロック部材の斜視図及び側面図、図６は本実施形態の電動工具の切替スイッチの斜視図及び正面図、図７は本実施形態の電動工具のスイッチ本体、ロック部材及び切替スイッチの正面図、図８は本実施形態の電動工具のハウジングの一部及びロック部材の下面図、図９は本実施形態の電動工具の照明部の側面図である。
【００２８】
図１乃至図４に示すように、本実施形態の電動工具１はハウジング１０と、ハウジング１０に連設されたハンマケース６とを備える。ハウジング１０内には、主に、動力発生部分が配置され、ハンマケース６には、回転駆動力を先端工具に伝達する伝達機構が配置される。また、図２及び図４に示すようにハウジング１０の外面部には、この電動工具１を制御するためのロック部材４、操作レバー５等が配置されている。
【００２９】
具体的に説明すると、ハウジング１０は、全体として円筒形状に形成され、一方の端部には蓄電池１６を連結するための開口１１ａが設けられ、他方の端部には、ハンマケース６を連結するための開口１１ｂが設けられている。また、ハウジング１０の側面には、後述するプランジャ２１が挿通される孔１２ａ、切替スイッチ２２が挿通される孔１２ｂ（図３参照）及びロック部材４の突起４４（図５（ｂ）及び（ｃ）参照）が挿通される孔１２ｃ（図３参照）が設けられている。
【００３０】
また、ハウジング１０の蓄電池１６側の端部付近の側面には、連結孔１４が設けられ、操作レバー５が揺動可能に連結されている。また、図２に示すように、操作レバー５とハウジング１０との間には、操作レバー５をハウジング１０側に付勢するコイルバネ（引張ばね）９を配設する溝２０が設けられている。
【００３１】
バッテリー端子１９、基板１７、スイッチ２及びモータ３は、ハウジング１０の蓄電池１６側の開口１１ａからハンマケース６側の開口１１ｂにかけてこの順に配置され、ネジ等によって固定されるか又はハウジング１０の内部に設けられた溝等に嵌め込まれることによって固定されている。バッテリー端子１９、基板１７、スイッチ２及びモータ３は配線を介して接続されている。スイッチ２がオンすると、蓄電池１６、バッテリー端子１９、基板１７、スイッチ２を介して電力がモータ３に供給され、モータ３が回転する。一方、スイッチ２がオフすると、モータ３への電力の供給は遮断される。
【００３２】
ハウジング１０の内部には蓄電池１６側の開口１１ａと操作レバーの連結孔１４との間にリブ１５が設けられている。リブ１５によって、基板１７がハウジング１０に固定され、金属製の操作レバー５と基板１７との接触が防止される。なお、基板１７は後述するＬＥＤライト７の点灯、消灯の制御及び蓄電池１６の残量表示機能を制御している。
【００３３】
ギア部８は、モータ３の軸に連結されたピニオン８２、アイドルギア８３及びリングギア８４からなり、モータ３からこれらのギアを経て、スピンドル６３、ハンマ６４及びアンビル６５がモータ３と同軸にこの順に配置されている。スピンドル６３とハンマ６４とはカムボール及びＶ字型カム溝によって構成されたカム機構によって連結されており、ハンマ６４はスピンドル６３に対して進退可能に設けられている。また、スピンドル６３とハンマ６４との間にはコイルバネ６６が設けられ、ハンマ６４は、コイルバネ６６にスピンドル６３から遠ざかる方向に付勢されている（アンビル６５に向かって押圧されている）。ハンマ６４のアンビル６５側の端にはハンマ６４の軸に対して平行に突出する凸部６４ａ（図４参照）が、対向して二箇所設けられている。アンビル６５は全体として円筒状で軸に対して回転可能に設けられるとともに、凸部６４ａ側の端において、軸に対して径方向に伸びる棒状の衝突部６５ａが設けられている。この凸部６４ａと衝突部６５ａとは、コイルバネの弾性力によって常に接触するように設けられている。
【００３４】
アンビル６５のハンマ６４と他方の端にはアンビル６５と同軸に第１の傘歯車６７が連結され、この第１の傘歯車６７と噛合するとともに第１の傘歯車６７の回転軸に対して軸を垂直に配置された第２の傘歯車６８が設けられ、第２の傘歯車６８の他方の端には先端工具支持部１８が設けられている。以上のギア部８、スピンドル６３、ハンマ６４、アンビル６５、第１の傘歯車６７及び第２の傘歯車６８は、ハンマケース６内に収容されるとともに、ハンマケース６は開口１１ｂにおいてハウジング１０に連結されている。なお、本実施形態のハウジング１０は、ハウジング１０とハンマケース６とに２分割されて構成されているが、ハウジング１０とハンマケース６とを一体的に構成してもよい。また、本実施形態のハンマケース６内に収容されているギア部８、スピンドル６３、ハンマ６４、アンビル６５、第１の傘歯車６７及び第２の傘歯車６８は本発明の駆動機構に相当する。
【００３５】
スイッチ２はハウジング１０内に収容されており、その側面には、入出可能なプランジャ２１が設けられている。プランジャ２１は、ハウジング１０の側面に設けられた孔１２ａを介して外方に突出して設けられており、入出動作を行うことによって、オン・オフする。スイッチ２がオンされることにより、蓄電池１６からの電力によるスイッチ２からの信号が配線を介して前述の基板１７に入力されるようになっている。また、プランジャ２１はスイッチ本体の内部において、弾性部材によってスイッチ本体から遠ざかる方向に弾性力を受けているため、プランジャ２１が押圧力を受けてスイッチ本体側に進入していない間は、常時ハウジング１０より外方へと突出した状態に維持されている。また、スイッチ２には、プランジャ２１の入出方向に平行且つハウジング１０の長手方向に垂直な側面に長片状の切替スイッチ２２が設けられている。この切替スイッチ２２は長手方向に平行移動可能に設けられているとともに、図３に示すように、その両端部に対応するハウジング１０の側面にはこの長片の横断面よりも大きな孔１２ｂが設けられている。そして、この孔１２ｂより切替スイッチ２２の長手方向のどちらか一方の端部がハウジング１０より外方へ突出するように設けられている。切替スイッチ２２が、その長手方向に平行移動して、どちらか一方の端部がハウジング１０より外方へ突出すると、スイッチ２の内部においてスイッチング回路が接続され、モータ３の正回転又は逆回転が反転される。また、図６に示すように、切替スイッチ２２のプランジャ２１側には、後述するロック部材４に設けられた突起（係合部）４４を嵌合（係合）する２つの溝（被係合部）２２ａ、及びこの２つの溝２２ａを隔てるリブ２２ｂが、ロック部材４の移動方向に平行に設けられている。
【００３６】
ロック部材４は、有底筺状の底部において、前述のプランジャ２１の横断面より大径の孔４１が設けられている。プランジャ２１は、この孔４１に対向して配置される。図８に示すように、ロック部材４の側面には開口から底部にかけてレール４２が設けられている。ハウジング１０には突起１０ａが、プランジャ２１の入出方向に対して平行に、レール４２の位置に対応する位置に設けられている。ハウジング１０の突起１０ａは、ロック部材４のレール４２に遊嵌する。このようにして、ロック部材４はプランジャ２１の入出方向に対して平行に移動可能である。また、ロック部材４とハウジング１０との間にはプランジャ２１の側面に沿ってコイルバネ４３（圧縮ばね）が設けられ、このコイルバネ４３によって、ロック部材４は常時ハウジング１０から遠ざかる方向に弾性力を受けている。なお、本実施形態においては、ハウジング１０とロック部材４との間にコイルバネ４３が設けられているが、このコイルバネ４３は板バネ等であってもよく、ロック部材４をハウジング１０から遠ざかる方向に付勢する弾性部材であればどのような形態でもよい。更に、図５及び図７に示すように、ロック部材４にはその側面から延出した突起４４が、プランジャ２１の移動方向に平行に延びて設けられており、ハウジング１０の突起４４に対抗する位置には孔１２ｃ（図３参照）が設けられている。この突起４４は、常時孔１２ｃに対して挿通された状態であり、ロック部材４がプランジャ２１の入出方向に対して平行に移動すると、その移動に伴ってハウジング１０の内部に進退する。前述の切替スイッチ２２に設けられた２つの溝２２ａは、図７に示すようにハウジング１０の内部に進入したロック部材４の突起４４を嵌合する位置に設けられている。このため、切替スイッチ２２の溝２２ａがロック部材４の突起４４を嵌合すると、切替スイッチ２２はその長手方向に移動することができないように係止される。
【００３７】
操作レバー５は、図２及び図３に示すように、金属性の長板状の側面にプランジャ２１の横断面より大きな径の貫通孔５１を備え、この貫通孔５１付近において操作レバー５の長手方向に対して平行にスライド式の遮蔽板（係合部材）５２が設けられている。この遮蔽板５２のスライド動作によって、貫通孔５１の開閉を自在に行うことができるようになっている。そして、この操作レバー５は、一方の端を蓄電池１６側端部付近のハウジング１０の側面に設けられた連結孔１４に揺動可能に連結されている。貫通孔５１は操作レバー５の揺動域において前述のプランジャ２１の可動域を含む領域に位置している。従って、遮蔽板５２によって貫通孔５１が開かれているとき、プランジャ２１は、操作レバー５の揺動域において操作レバー５に干渉せずに貫通孔５１を通り抜ける。遮蔽板５２によって貫通孔５１が閉ざされているとき、プランジャ２１は、操作レバー５の揺動域において遮蔽板５２と干渉（係合）する。このため、プランジャ２１は、操作レバー５の揺動によって押圧されてスイッチ本体に対して入出する。また、遮蔽板５２は操作レバー５の揺動方向に対して垂直方向の幅が操作レバー５の幅よりも小さくなるように設けられている。なお、ロック部材４は、遮蔽板５２による貫通孔５１の開閉に関わらず、操作レバー５の揺動に伴って操作レバー５と接触して、プランジャ２１の入出方向に対して平行に揺動する。ここで、ロック部材４は操作レバー５によって操作されるが、プランジャ２１よりも大径の孔４１を有しているので、プランジャ２１と独立に操作可能である。前述のように、操作レバー５は、ハウジング１０の溝２０に設置されたコイルバネ９によって、ハウジング１０側に引っ張る方向の弾性力を受けている。このコイルバネ９による弾性力は、前述のハウジング１０とロック部材４との間に設けられたコイルバネ４３による弾性力よりも小さく設定されているため、このコイルバネ９の弾性力によってプランジャ２１及びロック部材４が移動することはない。
【００３８】
ＬＥＤライト７は、先端工具による作業位置に対して光を照射する光源であり、図１、図３及び図９に示すように、ハウジング１０のハンマケース６との連結部付近の側面において、ハウジング１０の内面に密着するように配設され、且つハンマケース６の外側に相当する位置に設けられている。前述の如く、ＬＥＤライト７の点灯、消灯の制御はハウジング１０の内部に収容された基板１７によって行われ、蓄電池１６によって電源が供給される。このＬＥＤライト７は、中心軸が、先端工具又はタッピンネジ等を直接照射する位置に配置されているため、少ない光量のＬＥＤライトを用いた場合においても十分な照度を得られるように設けられている。
【００３９】
本実施形態の電動工具１は、ロック部材４の突起４４を嵌合する２つの溝２２ａ、及びこの２つの溝２２ａを隔てるリブ２２ｂを有する切替スイッチ２２と、側面から延出する突起４４を有するロック部材４とを備える。モータ３への電力の供給がオンされる状態になると、切替スイッチ２２の溝２２ａがロック部材４の突起４４を嵌合して切替スイッチ２２が係止される。このようにして、本実施形態の電動工具１によれば、スイッチ自体に切替スイッチをロックする機能を有しない安価なスイッチにおいても、本実施形態の切替スイッチ２２及びロック部材４を設置するだけで、切替スイッチ２２のロック機能を有することができるようになるため、汎用性に優れている。また、単純な構造で電源の開閉動作と先端工具の正逆反転防止とを同時に行うことができるため、低コストで本実施形態の電動工具のスイッチ機構を製造することができる。
【００４０】
更に、本実施形態の電動工具１における操作レバー５は長板状に設けられ、一方の端を蓄電池１６側端部付近のハウジング１０の側面に設けられた連結孔１４に連結するだけで設置することが可能であり、操作レバー５が入出動作を行うための開口をハウジングの側面に大きく設ける必要がない。また、ハウジング１０に設けられたロック部材４の突起４４用の孔１２ｃは、ロック部材４の突起４４が常時挿通された状態であり、この孔１２ｃから塵や砂が入りにくい構造であるため、防塵性に優れている。
【００４１】
更にまた、本実施形態の電動工具１のロック部材４の側面には、ハウジング１０に設けられた突起１０ａを遊嵌するレール４２が設けられ、レール４２に沿って突起１０ａを有するロック部材４が傾かずに平行移動するため、ロック部材４の傾斜による電動工具１の動作不良を防止することができる。なお、これとは逆に、ロック部材４側に突起を設けるとともにハウジング１０側にレールを設けて、ロック部材４の突起とハウジング１０のレールとが遊嵌するようにして、ロック部材４がこのハウジング１０に設けられたレールに沿って移動するようにしてもよい。
【００４２】
また、本実施形態の電動工具１のプランジャ２１は円筒状で、ロック部材４には底部において円形の孔４１が設けられているが、プランジャ２１の形状を長円柱又は角柱にすると同時に、ロック部材４側の孔４１の形状をこのプランジャ２１に併せて長円又は矩形にすれば、プランジャ２１の側面に沿ってロック部材４の回転移動が規制されることになるため、ハウジング１０に設ける突起１０ａ及びロック部材４に設けるレール４２を取り外すことが可能である。
【００４３】
更にまた、本実施形態の電動工具１のＬＥＤライト７は、ハウジング１０の内面に密着するように配設され、且つハンマケース６の外側に相当する位置に設けられているため、ハンマケース６の内部に充填された潤滑用のグリスによるＬＥＤライト７の汚染が発生しにくい。
【００４４】
次に、このような構成の電動工具１の動作について説明する。
【００４５】
作業者は、電動工具１を使用する場合には、先端工具支持部１８に先端工具を装着する。そして、操作レバー５の遮蔽板５２を貫通孔５１側にスライドさせて貫通孔５１を閉じた状態（第１の位置）にし、操作レバー５をハウジング１０側に押圧する。作業者の操作によって操作レバー５がプランジャ２１を押すと、スイッチ２がオンされ、蓄電池１６からモータ３に電力が供給されてモータ３が回転する。そして、モータ３の回転駆動力は駆動機構を介して先端工具に伝達される。また、モータ３の回転駆動力は、スピンドル６３及びハンマ６４によってアンビル６５に回転打撃力としてトルクを増幅させて伝達される。そして、この回転駆動力によって先端工具による締結作業等を行うことが可能となる。このとき、プランジャ２１の周囲を囲むように配置されたロック部材４は、プランジャ２１とともに操作レバー５によって押されてプランジャ２１の入出方向に平行に移動する。そして、ロック部材４の側面から延出して設けられた突起４４は、ハウジング１０の内部に進入して切替スイッチ２２の一方の溝２２ａに嵌合されて、切替スイッチ２２がロックされ、切替スイッチ２２はスライド移動することができなくなる。従って、先端工具が回転駆動されている間、先端工具の正逆回転が反転することはない。このようにして、遮蔽板５２によって貫通孔５１を閉じた状態（第１の位置）にして、操作レバー５をハウジング１０へ押圧すると、プランジャ２１及びロック部材４が操作される。（第１の操作）
【００４６】
作業者が操作レバー５から手を離すと、ハウジング１０とロック部材４との間に設けられたコイルバネ４３の弾性力によって、ロック部材４はハウジング１０から遠ざかる方向に弾性力を受けるため、操作レバー５はロック部材４によって押されてハウジング１０から遠ざかる。そして、ロック部材４の突起４４は切替スイッチの溝２２ａから遠ざかる方向に移動するため、切替スイッチ２２のロックが解除される。そして、切替スイッチ２２のスライド移動によって、正逆回転の反転操作を行うことが可能となる。また、プランジャ２１はハウジング１０から外部に突出する方向に移動するため、スイッチ２がオフされ、蓄電池１６からモータ３への電力の供給がオフされて先端工具の回転が停止する。
【００４７】
一方、遮蔽板５２によって操作レバーの貫通孔５１が開かれた状態（第２の位置）で作業者が操作レバー５をハウジング１０側に押圧した場合、操作レバー５の貫通孔５１内をプランジャ２１が通過して操作レバー５はプランジャ２１と干渉しないため、スイッチ２がオンされず、蓄電池１６からモータ３への電力の供給も行われない。このとき、ロック部材４は操作レバー５の揺動に伴って操作レバー５と接触して、プランジャ２１の入出方向に平行に移動するため、モータ３が動作しない状態で切替スイッチ２２がロックされる。このようにして、遮蔽板５２によって貫通孔５１を開いた状態（第２の位置）にして、操作レバー５をハウジング１０へ押圧すると、プランジャ２１を操作せず、ロック部材４のみを操作する。（第２の操作）
【００４８】
以上、説明したように、本実施形態の電動工具１には、操作レバー５に貫通孔５１、及び貫通孔５１をスライド式に開閉する遮蔽板５２が設けられており、作業者が電動工具１を使用する際にはこの遮蔽板５２によって貫通孔５１を閉じる。そして、操作レバー５を押圧することによって先端工具を駆動するとともに、切替スイッチ２２をロックし、先端工具の反転を防止することができる。従って、作業者が作業をしている間、又は電動工具１の持ち運び中に不意に切替スイッチ２２に接触した場合にも、正逆回転の反転が行われないため、操作の安定性に優れている。また、不意な正逆回転の反転による作業性の低下も防止することができる。
【００４９】
また、電動工具１を使用しない際には遮蔽板５２をスライドさせて貫通孔５１を開けば、操作レバー５はプランジャ２１と干渉せず、蓄電池１６からモータ３への電力の供給が行われない。従って、運搬中等に操作レバー５への不意の接触によっても、電源のオン操作が行われず、回転駆動される先端工具によって加工対象が傷つくことを防止することができるため、操作の安定性に優れている。また、電池の電力が無駄に消費されることも防止することができる。
【００５０】
更に、本実施形態の電動工具１は、操作レバー５によって、モータ３の回転をオン・オフする動作と、先端工具の正逆回転の反転をロックする動作とを機械的に連動して行うことができる。また、本実施形態のスイッチ２及び切替スイッチ２２は、構造が単純である。従って、装置が大型化することなく適用することができ、特殊なスイッチを使用せずに誤動作を防止することができるため、汎用性に優れている。
【００５１】
更に、本実施形態の電動工具１のハウジング１０の側面部には、プランジャ２１が入出する孔１２ａ、切替スイッチ２２の両方の端部が突出する孔１２ｂ、ロック部材４の突起４４が進退する孔１２ｃが設けられているが、夫々の孔１２ａ，１２ｂ及び１２ｃは対応する部品が常時挿通された状態であるため、ほぼ閉塞状態に保持されることが可能である。従って、操作レバー５の入出用の孔をハウジング１０に設ける必要がなく、防塵性に優れている。
【００５２】
なお、本実施形態においては、アングル式回転打撃工具を引用することによって本発明の効果を説明したが、アングル式回転打撃工具に限らず、操作レバーによってモータへの電力の供給をオン・オフする形態の回転工具であればどのような形態の電動工具においても本発明を適用することが可能である。例えば、モータの回転軸と先端工具とを一直線状に配置した通常のレバースイッチ式回転打撃工具に本発明を適用すれば、電動工具を大型化することなく優れた防塵性及び操作の安定性を得ることができる。また、正逆回転の反転機能を有しない電動工具に本発明を適用した場合にも、操作レバーに設けた孔の遮蔽板による開閉操作による優れた操作の安定性を得ることができ、防塵性を兼ね備えた電動工具を得ることができる。
【００５３】
また、本実施形態に係る電動工具１の操作レバー５は、ハウジング１０に設けられた連結孔１４に一端を揺動可能に連結され、操作レバー５は、揺動することでロック部材４及びプランジャ２１に干渉するものとして説明したが、これに限定せず、ロック部材及びプランジャの動作方向に動作するものであればよい。例えば、操作レバーは、両端を弾性材等によって支持され、ロック部材及びプランジャ方向に押し込まれることでロック部材及びプランジャに干渉するものでもよい。
【００５４】
また、本実施形態においては、電動工具１を基に発明を説明したが、動力源は、充電池以外であっても本発明の効果を奏し得ることができる。例えば、商用のＡＣ電源であっても良い。また、エンジンなどの動力源であっても良く、圧縮空気を用いても良い。
【図面の簡単な説明】
【００５５】
【図１】本実施形態の電動工具の斜視図である。
【図２】本実施形態の電動工具の断面図である。
【図３】本実施形態の電動工具の下面図である。
【図４】本実施形態の電動工具の分解図である。
【図５】（ａ）は、本実施形態の電動工具のスイッチ本体及びロック部材の斜視図、（ｂ）は、本実施形態の電動工具のロック部材の斜視図、（ｃ）は、本実施形態の電動工具のスイッチ本体及びロック部材の側面図である。
【図６】（ａ）は、本実施形態の電動工具の切替スイッチの斜視図、（ｂ）は、正面図である。
【図７】（ａ）及び（ｂ）は、本実施形態の電動工具のスイッチ本体、ロック部材及び切替スイッチの正面図である。
【図８】本実施形態の電動工具のハウジングの一部及びロック部材の下面図である。
【図９】本実施形態の電動工具の照明部の側面図である。
【符号の説明】
【００５６】
１：電動工具
２：スイッチ
３：モータ
４：ロック部材
５：操作レバー
６：ハンマケース
７：ＬＥＤライト
８：ギア部
９：コイルバネ
１０：ハウジング
１０ａ：突起
１１ａ、１１ｂ：開口
１２ａ、１２ｂ、１２ｃ：孔
１４：連結孔
１５：リブ
１６：蓄電池
１７：基板
１８：先端工具支持部
１９：バッテリー端子
２０：溝
２１：プランジャ
２２：切替スイッチ
２２ａ：溝（被係合部）
２２ｂ：リブ
４１：孔
４２：レール
４３：コイルバネ
４４：突起（係合部）
５１：貫通孔
５２：遮蔽板（係合部材）
６３：スピンドル
６４：ハンマ
６４ａ：凸部
６５：アンビル
６５ａ：衝突部
６６：コイルバネ
６７：第１の傘歯車
６８：第２の傘歯車
８２：ピニオン
８３：アイドルギア
８４：リングギア
【図１】
2010064233.tif 000003
【図２】
2010064233.tif 000004
【図３】
2010064233.tif 000005
【図４】
2010064233.tif 000006
【図５】
2010064233.tif 000007
【図６】
2010064233.tif 000008
【図７】
2010064233.tif 000009
【図８】
2010064233.tif 000010
【図９】
2010064233.tif 000011